(57)【要約】【課題】各種化学製品に活性化水の種々の有用な作用が確実に付与された活性化水組成物を得られるとともに、その活性化水組成物の使用時に、活性化水の作用が失われたり、活性化水と混合された各種化学製品が劣化して、その品質が低下してしまうといった事態を有効に防止し得る流体活性化吐出器を提供する。【解決手段】流体２８を貯留するための内部空間２２ａを有する貯留容器２２と、流体２８を貯留容器２２の外部空間に対して吐出する吐出孔２３ａを有するノズル２３と、流体２８をノズル２３に供給するための圧力を付与するポンプ体２４と、ノズル２３及びポンプ体２４と一体となって流体２８の流路を構成する中空部材２５，２６，２９と、ノズル２３、ポンプ体２４、及び中空部材２５，２６，２９の少なくとも一箇所に、その磁力線が流体２８の流路を横切るように配設された磁石２７ａ，２７ｂとを備えた流体活性化吐出器２１。【選択図】  図２
2004351334.tif 000002
【特許請求の範囲】
【請求項１】
流体を貯留するための内部空間を有する貯留容器と、前記流体を前記貯留容器の外部空間に対して吐出するための吐出孔を有するノズルと、前記流体を前記ノズルに供給するための圧力を制御する噴射弁と、前記ノズル及び前記噴射弁と一体となって前記流体の流路を構成する中空部材と、前記ノズル、前記噴射弁、及び前記中空部材の少なくとも一箇所に、その磁力線が前記流体の流路を横切るように配設された磁石とを備えた流体活性化吐出器であって、
前記流体が前記磁石によって形成される磁力線を横切るように通過する際に、前記流体に対して磁力を作用させ、前記流体を活性化させる流体活性化吐出器。
【請求項２】
流体を貯留するための内部空間を有する貯留容器と、前記流体を前記貯留容器の外部空間に対して吐出する吐出孔を有するノズルと、前記流体を前記ノズルに供給するための圧力を付与するポンプ体と、前記ノズル及び前記ポンプ体と一体となって前記流体の流路を構成する中空部材と、前記ノズル、前記ポンプ体、及び前記中空部材の少なくとも一箇所に、その磁力線が前記流体の流路を横切るように配設された磁石とを備えた流体活性化吐出器であって、
前記流体が前記磁石によって形成される磁力線を横切るように通過する際に、前記流体に対して磁力を作用させ、前記流体を活性化させる流体活性化吐出器。
【請求項３】
流体を貯留するための内部空間を有する貯留部と、前記貯留部の一の端部に配置された、前記流体を前記貯留部の外部空間に対して吐出する吐出孔を有するノズル部と、前記貯留部の内部空間を圧縮するピストンと、前記ノズル部、及び前記貯留部の少なくとも一箇所に、その磁力線が前記流体の流動方向を横切るように配設された磁石とを備えた流体活性化吐出器であって、
前記流体が前記磁石によって形成される磁力線を横切るように通過する際に、前記流体に対して磁力を作用させ、前記流体を活性化させる流体活性化吐出器。
【請求項４】
流体を貯留するための内部空間を有する貯留部と、前記貯留部の一の端部に配置された、前記流体を前記貯留部の外部空間に対して吐出する吐出孔を有するノズル部と、前記貯留部の内部空間を圧縮するピストンと、前記ノズル部に連結された、前記貯留部及びノズル部と一体となって前記流体の流路を構成する中空部材と、前記貯留部、前記ノズル部、及び前記中空部材の少なくとも一箇所に、その磁力線が前記流体の流路を横切るように配設された磁石とを備えた流体活性化吐出器であって、
前記流体が前記磁石によって形成される磁力線を横切るように通過する際に、前記流体に対して磁力を作用させ、前記流体を活性化させる流体活性化吐出器。
【請求項５】
流体が貯留された容器を固定するための固定部材と、その磁力線が前記固定部材に固定される前記容器を横切るように配設された磁石と、前記固定部材に固定される前記容器の中心部を通過するような回転軸を有する、前記固定部材及び／又は前記磁石を回転させるための回転装置とを備えた流体活性化装置であって、
前記回転装置が、前記固定部材及び／又は前記磁石を回転させることによって、前記固定部材に固定される前記容器と前記磁石によって形成される磁力線とを前記回転軸中心に相対的に回転させ、前記容器に貯留される流体が前記磁石によって形成される磁力線を横切るように通過する際に、前記流体に対して磁力を作用させ、前記流体を活性化させる流体活性化装置。
【請求項６】
流体が貯留された容器を固定するための固定部材と、その磁力線が前記固定部材に固定される前記容器を横切ることが可能なように配設された磁石と、前記磁石によって形成される磁力線の端点を含む直線上のいずれかの点を通過するような回転軸を有する、前記固定部材及び／又は前記磁石を回転させるための回転装置とを備えた流体活性化装置であって、
前記回転装置が、前記固定部材及び／又は前記磁石を回転させることによって、前記固定部材に固定される前記容器と前記磁石によって形成される磁力線とを前記回転軸中心に相対的に回転させ、前記容器に貯留される流体が前記磁石によって形成される磁力線を横切るように通過する際に、前記流体に対して磁力を作用させ、前記流体を活性化させる流体活性化装置。
【発明の詳細な説明】
【０００１】
【発明の属する技術分野】本発明は、流体に対して磁力を作用させ、その流体を活性化させるとともに、その活性化された流体を吐出させるための流体活性化吐出器、及び流体に対して磁力を作用させ、その流体を活性化させる流体活性化装置に関する。
【０００２】
【従来の技術】従来より、水に対して磁力を作用させると、その水が活性化され、種々の有用な作用を示すことが知られている。これらの作用は、水に対して磁力を作用させると、ファラデーの電磁誘導の法則に基づいて、水分子に分極が生じ、複数の水分子の集合体（クラスター）が細分化され、水の活性化が惹起されるためであるとされている。
【０００３】例えば、磁力によって活性化された水（以下、「活性化水」と記す場合がある）は、美味しく、まろやかで、コーヒーの風味を良くし、米が美味しく炊ける等、味覚的に優れる他、切り花を長持ちさせる、植物種子の発芽率を向上させる、煮炊き等の調理時間が短縮され、燃料を節約することができる、配管、タンク、浴槽、台所のシンク等のサビやスライム、或いは水垢の生成を抑制することができる、コンクリートの強度を向上させる等、種々の有用な作用を示すことが報告されている。
【０００４】そして、このような種々の有用な作用を示す活性化水を簡便に得るための装置として、水道の蛇口に取り付けるタイプの磁気活水装置、水活性化装置が提案されている（以下、「磁気活水装置等」と記す場合がある。例えば、特許文献１，２参照）。
【０００５】
【特許文献１】
特開平１１−１９６５０号公報
【特許文献２】
特開２０００−２６３０６０号公報
【０００６】
【発明が解決しようとする課題】しかしながら、上述の磁気活水装置等は、一般家庭用の飲料水・生活用水等に用いられる活性化水製造用の装置としては、好適に用いることができるものの、活性化水と各種化学製品とが混合された、活性化水を含む化学製品組成物（以下、「活性化水組成物」と記す場合がある）を得ようとする場合には、以下に掲げるような問題があった。
【０００７】各種化学製品と溶媒、分散媒となる水とを混合することにより得られる化学製品組成物（例えば、化粧品、洗剤、医薬品等）においては、活性化水の種々の有用な作用を付与することを目的として、溶媒、分散媒として通常の水（以下、「未活性化水」と記す場合がある）の代わりに活性化水を用いることが行われている。このような場合、上述の磁気活水装置等を利用して活性化水組成物を得ようとすると、まず、磁気活水装置等を利用して活性化水を得、その活性化水に各種化学製品を混合することにより、活性化水組成物を得ることになる。
【０００８】しかしながら、上記の方法で得られた活性化水組成物は、その使用時に、活性化水の作用が失われていたり、活性化水と混合された各種化学製品が劣化して、その品質が低下してしまっている場合があるという問題があった。
【０００９】本発明は、上述の問題に鑑みてなされたものであり、各種化学製品に活性化水の種々の有用な作用が確実に付与された活性化水組成物を得られるとともに、その活性化水組成物の使用時に、活性化水の作用が失われたり、活性化水と混合された各種化学製品が劣化して、その品質が低下してしまうといった事態を有効に防止し得る流体活性化吐出器、及び流体活性化装置を提供することを目的とする。
【００１０】
【課題を解決するための手段】本発明者は、上述の課題を解決するべく鋭意研究した結果、活性化水組成物を使用する際に、その都度、未活性化水に対して磁力を作用させて、活性化水に変換することによって、上記課題を解決可能であることに想到し、本発明を完成させた。即ち、本発明は、以下の流体活性化吐出器、及び流体活性化装置を提供するものである。
【００１１】［１］  流体を貯留するための内部空間を有する貯留容器と、前記流体を前記貯留容器の外部空間に対して吐出するための吐出孔を有するノズルと、前記流体を前記ノズルに供給するための圧力を制御する噴射弁と、前記ノズル及び前記噴射弁と一体となって前記流体の流路を構成する中空部材と、前記ノズル、前記噴射弁、及び前記中空部材の少なくとも一箇所に、その磁力線が前記流体の流路を横切るように配設された磁石とを備えた流体活性化吐出器であって、前記流体が前記磁石によって形成される磁力線を横切るように通過する際に、前記流体に対して磁力を作用させ、前記流体を活性化させる流体活性化吐出器。
【００１２】［２］  流体を貯留するための内部空間を有する貯留容器と、前記流体を前記貯留容器の外部空間に対して吐出する吐出孔を有するノズルと、前記流体を前記ノズルに供給するための圧力を付与するポンプ体と、前記ノズル及び前記ポンプ体と一体となって前記流体の流路を構成する中空部材と、前記ノズル、前記ポンプ体、及び前記中空部材の少なくとも一箇所に、その磁力線が前記流体の流路を横切るように配設された磁石とを備えた流体活性化吐出器であって、前記流体が前記磁石によって形成される磁力線を横切るように通過する際に、前記流体に対して磁力を作用させ、前記流体を活性化させる流体活性化吐出器。
【００１３】［３］  流体を貯留するための内部空間を有する貯留部と、前記貯留部の一の端部に配置された、前記流体を前記貯留部の外部空間に対して吐出する吐出孔を有するノズル部と、前記貯留部の内部空間を圧縮するピストンと、前記ノズル部、及び前記貯留部の少なくとも一箇所に、その磁力線が前記流体の流動方向を横切るように配設された磁石とを備えた流体活性化吐出器であって、前記流体が前記磁石によって形成される磁力線を横切るように通過する際に、前記流体に対して磁力を作用させ、前記流体を活性化させる流体活性化吐出器。
【００１４】［４］  流体を貯留するための内部空間を有する貯留部と、前記貯留部の一の端部に配置された、前記流体を前記貯留部の外部空間に対して吐出する吐出孔を有するノズル部と、前記貯留部の内部空間を圧縮するピストンと、前記ノズル部に連結された、前記貯留部及びノズル部と一体となって前記流体の流路を構成する中空部材と、前記貯留部、前記ノズル部、及び前記中空部材の少なくとも一箇所に、その磁力線が前記流体の流路を横切るように配設された磁石とを備えた流体活性化吐出器であって、前記流体が前記磁石によって形成される磁力線を横切るように通過する際に、前記流体に対して磁力を作用させ、前記流体を活性化させる流体活性化吐出器。
【００１５】［５］  流体が貯留された容器を固定するための固定部材と、その磁力線が前記固定部材に固定される前記容器を横切るように配設された磁石と、前記固定部材に固定される前記容器の中心部を通過するような回転軸を有する、前記固定部材及び／又は前記磁石を回転させるための回転装置とを備えた流体活性化装置であって、前記回転装置が、前記固定部材及び／又は前記磁石を回転させることによって、前記固定部材に固定される前記容器と前記磁石によって形成される磁力線とを前記回転軸中心に相対的に回転させ、前記容器に貯留される流体が前記磁石によって形成される磁力線を横切るように通過する際に、前記流体に対して磁力を作用させ、前記流体を活性化させる流体活性化装置。
【００１６】［６］  流体が貯留された容器を固定するための固定部材と、その磁力線が前記固定部材に固定される前記容器を横切ることが可能なように配設された磁石と、前記磁石によって形成される磁力線の端点を含む直線上のいずれかの点を通過するような回転軸を有する、前記固定部材及び／又は前記磁石を回転させるための回転装置とを備えた流体活性化装置であって、前記回転装置が、前記固定部材及び／又は前記磁石を回転させることによって、前記固定部材に固定される前記容器と前記磁石によって形成される磁力線とを前記回転軸中心に相対的に回転させ、前記容器に貯留される流体が前記磁石によって形成される磁力線を横切るように通過する際に、前記流体に対して磁力を作用させ、前記流体を活性化させる流体活性化装置。
【００１７】
【発明の実施の形態】本発明者は、本発明の流体活性化吐出器、及び流体活性化装置を開発するに際し、まず、従来の磁気活水装置等を利用して得た活性化水組成物が、その使用時に、活性化水の作用が失われていたり、活性化水と混合された各種化学製品が劣化して、その品質が低下してしまう原因について検討した。
【００１８】その結果、従来の磁気活水装置等を利用する場合には、活性化水に対して各種化学製品を混合することにより、活性化水組成物を得るという方法を採らざるを得ないため、活性化水組成物が得られてから実際に使用されるまでにはある程度の期間経過が避けられないという点に原因があることが判明した。即ち、得られた活性化水組成物が流通過程を経て販売され、消費者が実際に使用するに至るまでには、ある程度の期間経過が避けられず、この期間において、経時劣化により活性化水の作用が失われてしまったり、逆に、活性化水と各種化学製品が長期間共存することによって、活性化水が各種化学製品を経時的に劣化させ、その品質を低下させてしまうのである。
【００１９】そこで、本発明者は、活性化水組成物を使用する際に、その都度、未活性化水に対して磁力を作用させて、活性化水に変換するという発想の下、以下に掲げるような流体活性化吐出器、及び流体活性化装置を案出した。
【００２０】（１）流体活性化吐出器
本発明の流体活性化吐出器は、例えば、エアゾール缶、ポンプ式ディスペンサボトル等の流体を吐出する機能を有する器具（以下、「流体吐出器」と記す）において、流体の流路の少なくとも一箇所に、その磁力線が流体の流路を横切るように（即ち、流体の流動方向を横切るように）磁石を配設したものである。
【００２１】本発明の流体活性化吐出器を用いて未活性化水を吐出させると、その流路のいずれかの部分において、未活性化水が必ず磁石によって形成される磁力線を横切るように通過することになるので、この際に、未活性化水に対して磁力が作用し、未活性化水を活性化させることが可能となる。この流体活性化吐出器によれば、未活性化水と各種化学製品とが混合された化学製品組成物（即ち、一般に市販されている化粧品、洗剤、医薬品等）を貯留しておくのみで、その吐出の際に未活性化水が活性化水に変換されるので、極めて容易に活性化水組成物を得ることができる。
【００２２】また、活性化水組成物を使用する際に、その都度、未活性化水に対して磁力を作用させて、活性化水に変換する方式を採用するため、予め、活性化水と各種化学製品とを混合しておく必要もない。従って、その活性化水組成物の使用時に、活性化水の作用が失われていたり、活性化水と混合された各種化学製品が劣化して、その品質が低下してしまうといった事態を有効に防止することが可能となる。
【００２３】以下、本発明の流体活性化吐出器の実施の形態を図面を用いて、具体的に例示しながら説明するが、本発明の流体活性化吐出器は図示の実施形態に限定されるものではない。なお、本明細書における「流体」とは、液体又は気体を意味する。即ち、本発明の流体活性化吐出器によれば、水のみならず、アルコール等の有機溶剤や気体についても活性化することが可能である。また、本明細書において「流体」というときは、液体又は気体と各種化学製品とが混合された化学製品組成物をも意味する場合があるものとする。
【００２４】▲１▼第１の実施形態
本発明の流体活性化吐出器の第１の実施形態としては、例えば、図１に示す流体活性化吐出器１のように、流体８を貯留するための内部空間２ａを有する貯留容器２と、流体８を貯留容器２の外部空間に対して吐出するための吐出孔３ａを有するノズル３（アクチュエータと称される場合もある）と、流体８をノズル３に供給するための圧力を制御する噴射弁４と、ノズル３及び噴射弁４と一体となって流体８の流路を構成する中空部材５，６と、ノズル３、噴射弁４、及び中空部材５，６の少なくとも一箇所に、その磁力線が流体８の流路を横切るように配設された磁石７ａ，７ｂとを備えたものである。
【００２５】図１に示す流体活性化吐出器１は、中空部材として、貯留容器２の内部空間２ａと噴射弁４とを連通接続させる供給チューブ１０（中空部材５）と、噴射弁４とノズル３とを連通接続させるステム１１（中空部材６）とを有しており、ノズル３、ステム１１、噴射弁４、及び供給チューブ１０が一体となって流体８の流路を構成している。そして、流体８の流路の一部を構成する噴射弁４に、その磁力線が流体８の流路を横切るように磁石７ａ，７ｂが配設されている。また、貯留容器２は、上部開口部が噴射弁４によって閉塞されており、その内部空間２ａは密閉空間となっている。
【００２６】このような構造の流体活性化吐出器１は、その内部空間２ａに流体８とともに加圧ガス９を封入し、加圧ガス９の加圧力によって流体８を吐出するタイプの流体吐出器（例えば、ヘアケア製品、シェービングフォーム、制汗消臭剤、消炎剤等の容器として用いられるエアゾール缶等）を基本構造とするものであり、これに流体８を活性化させるための磁石７ａ，７ｂを配設したものである。従って、磁石７ａ，７ｂ以外の部分については、従来公知のエアゾール缶等と同様に構成されている。
【００２７】図１に示す流体活性化吐出器１では、ノズル３（ひいてはステム１１）を下方に押し下げることによって、通常は閉鎖されている噴射弁４が開放され、貯留容器２の内部空間２ａに貯留された流体８が、同じく貯留容器２の内部空間２ａに封入された加圧ガス９（例えば、フロンガス、液化石油ガス、窒素ガス等）の加圧力によって、供給チューブ１０、噴射弁４、ステム１１を経由して、ノズル３の吐出孔３ａから外部空間に対して吐出される。そして、流体８が噴射弁４を通過する際に、流体８に磁石７ａ，７ｂからの磁力が作用し、流体８が活性化される。
【００２８】なお、第１の実施形態における「中空部材」は、ノズル及び噴射弁と一体となって流体の流路を構成するものであればよく、その構造は限定されるものではない。即ち、図１に示す流体活性化吐出器１は、ノズル３を上方に位置させた状態で使用する、いわゆる正立タイプのエアゾール缶を念頭に置いたものであり、中空部材として供給チューブ１０とステム１１を有するものであるが、ノズルを下方に位置させた状態で使用する、いわゆる倒立タイプのエアゾール缶（図示せず）のように、供給チューブを持たず、中空部材としてステムのみを有するようなものも本発明の範囲に含まれる。
【００２９】また、図１に示す流体活性化吐出器１における中空部材である供給チューブ１０とステム１１は、ノズル３と貯留容器２の内部空間２ａとを連通させて流体８の流路を構成するものであるが、第１の実施形態における「中空部材」は、流体の流路を構成するものである限りにおいてこのようなものには限定されず、例えばノズルの先端（吐出孔）側に備えられるものであってもよい。
【００３０】▲２▼第２の実施形態
本発明の流体活性化吐出器の第２の実施形態としては、例えば、図２に示す流体活性化吐出器２１のように、流体２８を貯留するための内部空間２２ａを有する貯留容器２２と、流体２８を貯留容器２２の外部空間に対して吐出する吐出孔２３ａを有するノズル２３と、流体２８をノズル２３に供給するための圧力を付与するポンプ体２４と、ノズル２３及びポンプ体２４と一体となって流体２８の流路を構成する中空部材２５，２６，２９と、ノズル２３、ポンプ体２４、及び中空部材２５，２６，２９の少なくとも一箇所に、その磁力線が流体２８の流路を横切るように配設された磁石２７ａ，２７ｂとを備えたものである。
【００３１】図２に示す流体活性化吐出器２１は、中空部材として、貯留容器２２の内部空間２２ａとポンプ体２４とを連通接続させる供給チューブ３０（中空部材２５）と、ポンプ体２４とノズル２３とを連通接続させるステム３１（中空部材２６）及び押し下げヘッド３２（中空部材２９）とを有しており、ノズル２３、押し下げヘッド３２、ステム３１、ポンプ体２４、及び供給チューブ３０が一体となって流体２８の流路を構成している。そして、流体２８の流路の一部を構成するノズル２３に、その磁力線が流体２８の流路を横切るように磁石２７ａ，２７ｂが配設されている。また、貯留容器２２には、押し下げヘッド３２と一体的に構成されたステム３１が緩挿されたキャップ３３が螺着されており、その内部空間２２ａは密閉空間となっている。
【００３２】このような構造の流体活性化吐出器２１は、その内部空間２２ａに配設されたポンプ体２４からの加圧力によって流体２８を吐出させるタイプの流体吐出器（例えば、化粧品、シャンプー、リンス、ヘアケア製品、ボディーソープ、風呂用洗剤、ガラスクリーナー等の容器として用いられるポンプ式ディスペンサボトル等）を基本構造とするものであり、これに流体２８を活性化させるための磁石２７ａ，２７ｂを配設したものである。従って、磁石２７ａ，２７ｂ以外の部分については、従来公知のポンプ式ディスペンサボトル等と同様に構成されている。
【００３３】図２に示す流体活性化吐出器２１では、押し下げヘッド３２（ひいてはステム３１）を下方に押し下げることによって、ステム３１と一体的に構成されたピストン２４ａが押し下げられるとともに、開閉弁（図示せず）が閉鎖され、ポンプ体２４内部と貯留容器２２の内部空間２２ａとが隔離される。そして、ポンプ体２４内部に貯留された流体２８が、ピストン２４ａからの加圧力によって、ポンプ体２４、ステム３１、押し下げヘッド３２を経由して、ノズル２３の吐出孔２３ａから外部空間に対して吐出される。そして、流体２８がノズル２３を通過する際に、流体２８に磁石２７ａ，２７ｂからの磁力が作用し、流体２８が活性化される。
【００３４】流体２８が吐出された後は、バネ２４ｂによってピストン２４ａ（ひいてはステム３１、押し下げヘッド３２）が上部に押し上げられて元の位置に戻る。この際、開閉弁（図示せず）が開放され、ポンプ体２４内部と貯留容器２２の内部空間２２ａとが連通された状態となるため、貯留容器２２に貯留された流体２８が、ポンプ体２４内部に発生する減圧力によって、供給チューブ３０を経由して、ポンプ体２４内部に貯留される。
【００３５】なお、図２に示す流体活性化吐出器２１においては、貯留容器２２のキャップ構造として、ステム３１と一体的に構成された押し下げヘッド３２にノズル２３を突設した構造を採用しているが、本発明の流体活性化吐出器においては、例えば、図３（ａ）〜図３（ｃ）に示すような従来公知の各種キャップ構造を採用することができる。即ち、図３（ａ）及び図３（ｂ）に示すキャップ構造３４，３５のように、押し下げヘッド３２を下方に押し下げることによって、流体を吐出させるタイプのキャップ構造のみならず、図３（ｃ）に示すキャップ構造３６のように、トリガー３７を引くことによって、流体を吐出させるタイプのキャップ構造も好適に使用することができる。
【００３６】また、図２に示す流体活性化吐出器２１における中空部材である供給チューブ３０、ステム３１、押し下げヘッド３２は、ノズル２３と貯留容器２２の内部空間２２ａとを連通させて流体２８の流路を構成するものであるが、第２の実施形態における「中空部材」は、流体の流路を構成するものである限りにおいてこのようなものには限定されず、例えばノズルの先端（吐出孔）側に備えられるものであってもよい。
【００３７】▲３▼第３の実施形態
本発明の流体活性化吐出器の第３の実施形態としては、例えば、図４（ａ）に示す流体活性化吐出器４１のように、流体を貯留するための内部空間４２ａを有する貯留部４２と、貯留部４２の一の端部に配置された、流体を貯留部４２の外部空間に対して吐出する吐出孔４３ａを有するノズル部４３と、貯留部４２の内部空間４２ａを圧縮するピストン４４と、ノズル部４３、及び貯留部４２の少なくとも一箇所に、その磁力線が流体の流動方向を横切るように配設された磁石４７ａ，４７ｂとを備えたものである。
【００３８】図４（ａ）に示す流体活性化吐出器４１は、貯留部４２に、その磁力線が流体の流動方向（図４（ａ）における右側から左側）を横切るように磁石４７ａ，４７ｂが配設されている。また、中空円筒状を呈する貯留部４２の一の端部にはノズル部４３が配置され、他の端部には貯留部４２の内径と同等の外径を有するピストン４４が嵌挿されており、その内部空間４２ａは密閉空間となっている。
【００３９】このような構造の流体活性化吐出器４１は、その貯留部４２に嵌挿されたピストン４４からの加圧力によって流体を吐出させるタイプの流体吐出器（例えば、シリンジ（注射器）等）を基本構造とするものであり、これに流体を活性化させるための磁石４７ａ，４７ｂを配設したものである。従って、磁石４７ａ，４７ｂ以外の部分については、従来公知のシリンジ等と同様に構成されている。
【００４０】図４（ａ）に示す流体活性化吐出器４１では、ピストン４４を貯留部４２の内部空間４２ａに押し込むことによって、貯留部４２の内部空間４２ａが圧縮される。即ち、ピストン４４からの加圧力によって、貯留部４２の内部空間４２ａに貯留された流体が、貯留部４２を経由して、ノズル４３の吐出孔４３ａから外部空間に対して吐出される。そして、流体が貯留部４２を通過する際に、流体に磁石４７ａ，４７ｂからの磁力が作用し、流体が活性化される。
【００４１】▲４▼第４の実施形態
本発明の流体活性化吐出器の第４の実施形態としては、例えば、図４（ｂ）に示す流体活性化吐出器４１のように、流体を貯留するための内部空間４２ａを有する貯留部４２と、貯留部４２の一の端部に配置された、流体を貯留部４２の外部空間に対して吐出する吐出孔４３ａを有するノズル部４３と、貯留部４２の内部空間４２ａを圧縮するピストン４４と、ノズル部４３に連結された、貯留部４２及びノズル部４３と一体となって流体の流路を構成する中空部材４５と、貯留部４２、ノズル部４３、及び中空部材４５の少なくとも一箇所に、その磁力線が流体の流路を横切るように配設された磁石４７ａ，４７ｂとを備えたものである。
【００４２】図４（ｂ）に示す流体活性化吐出器４１は、図４（ａ）に示す流体活性化吐出器４１と同様の構成において、更に、中空部材４５を備えたものである。図４（ｂ）に示す流体活性化吐出器４１は、中空部材として、ノズル部４３に脱着可能に嵌合されることによって連結されたアタッチメント５０（中空部材４５）を有しており、アタッチメント５０、ノズル部４３、及び貯留部４２が一体となって流体の流路を構成している。そして、流体の流路の一部を構成するアタッチメント５０に、その磁力線が流体の流路を横切るように磁石４７ａ，４７ｂが配設されている。
【００４３】図４（ｂ）に示す流体活性化吐出器４１では、図４（ａ）に示す流体活性化吐出器４１と同様に、ピストン４４を貯留部４２の内部空間４２ａに押し込むことによって、貯留部４２の内部空間４２ａが圧縮され、ピストン４４からの加圧力によって、貯留部４２の内部空間４２ａに貯留された流体が、貯留部４２、ノズル部４３を経由して、アタッチメント５０の先端部から外部空間に対して吐出される。そして、流体がアタッチメント５０を通過する際に、流体に磁石４７ａ，４７ｂからの磁力が作用し、流体が活性化される。
【００４４】なお、この形態における中空部材は、貯留部及びノズル部と一体となって流体の流路を構成することが可能である限りにおいて、特にその形状は限定されないが、ノズル部に嵌合可能な内径を有する管状の部材（例えば、注射針等）であれば当然に用いることができる。
【００４５】▲５▼細部構造
本発明の流体活性化吐出器は、上記いずれの実施形態の場合であっても、磁石を、その磁力線が流体の流路（或いは、流体の流動方向）を横切るように配設することが必要である。流体を活性化させるためには、流体が磁石によって形成される磁力線を横切るように通過することが必要であることによる。磁力を効果的に作用させ、確実に流体を活性化させるという観点から、その磁力線が流体の流路（或いは、流体の流動方向）と直交するように、磁石を配設することが特に好ましい。
【００４６】また、第１の実施形態の場合は、ノズル、噴射弁、及び中空部材の少なくとも一箇所に、第２の実施形態の場合は、ノズル、ポンプ体、及び中空部材の少なくとも一箇所に、第３の実施形態の場合は、ノズル部、及び貯留部の少なくとも一箇所に、第４の実施形態の場合は、貯留部、ノズル部、及び中空部材の少なくとも一箇所に、磁石を配設することが必要であるが、「少なくとも一箇所」であるから、複数箇所に磁石を配設してもよい。なお、流体と直接接触する部分に磁石を配設する場合には、錆の発生や発生した錆の流体中への混入を防止するべく、磁石の表面を樹脂等によりシールドしておくことが好ましい。また、磁石は必ずしも被配設部材に固着させて配設する必要はなく、脱着可能な構造としてもよい。
【００４７】その磁力線が流体の流路（或いは、流体の流動方向）を横切るように配設されている限りにおいて、磁石の配置方法は特に限定されないが、例えば、図１、図２、図４（ａ）、又は図４（ｂ）に示す流体活性化吐出器１，２１，４１のように、一対の磁石（７ａ，７ｂ）、（２７ａ，２７ｂ）、（４７ａ，４７ｂ）が流体の流路（或いは、流体の流動方向）を挟んで対向するように配置する方法等を好適に用いることができる。
【００４８】また、磁石の種類についても特に限定されないが、例えば、ストロンチウム−フェライト磁石、サマリウム−コバルト磁石、ネオジム−鉄−硼素磁石、サマリウム−鉄−窒素磁石、アルニコ磁石等を好適に用いることができる。また、磁石の大きさについても特に制限されず、流体活性化吐出器の形状や磁石を配設する箇所の形状によって適宜選択すればよい。
【００４９】上記のように流体に対して磁力を作用させることによって、流体分子に分極が生じ、複数の流体分子の集合体（クラスター）が細分化され、流体の活性化が惹起される。
【００５０】流体の活性化の効果は、磁石によって形成される磁界の強度（以下、「磁束密度」と記す）との間に相関がある。本発明の流体活性化吐出器は、磁石によって形成される磁界の磁束密度（Ｂ）が０．０７〜０．２０（Ｔ：テスラ）の範囲を満たすように構成されていることが好ましい。
【００５１】また、流体の活性化の効果は、磁石によって形成される磁界を通過する際の流体の流動速度（以下、単に「流動速度」と記す）との間にも相関がある。本発明の流体活性化吐出器は、レイノルズ数（Ｒｅ）が２３００〜５０００の範囲を満たすような流動速度（ｖ）を確保し得る吐出圧を付与することが可能であるように構成されていることが好ましい。レイノルズ数（Ｒｅ）は下記式（１）により算出することができるので、流動速度（ｖ）は下記式（２）によって表すことができる。従って、流動速度（ｖ）は下記式（３）の範囲を満たしていることが好ましい。
【数１】
2004351334.tif 000003
（但し、Ｒｅ：レイノルズ数、ｖ：流動速度（ｍ／秒）、ｄ：流路内径（ｍ）、ν：流体の動粘度（ｍ２／秒））
【数２】
2004351334.tif 000004
【数３】
2004351334.tif 000005
【００５２】流動速度（ｖ）が上記範囲未満であると、流体に作用するローレンツ力が不足し、十分な活性化の効果が得られない場合がある点において好ましくなく、流動速度（ｖ）が上記範囲を超えると、流体に作用するローレンツ力は増大するものの、流体の流動が過剰に乱流化することに加え、磁界内に流体が滞留（存在）する時間が短縮されるため、却って、活性化の効果が低下するおそれがある点において好ましくない。
【００５３】例えば、流体として水（２０℃）を用い、磁石を配設する箇所の流路内径（ｄ）を３ｍｍとした場合、水の２０℃における動粘度（ν）は１．００４×１０−６（ｍ２／秒）であるから、流動速度（ｖ）の好ましい範囲は、０．７７〜１．６７（ｍ／秒）となる。
【００５４】なお、上述のように、流体の活性化の効果は、磁束密度（Ｂ）や流動速度（ｖ）の値と相関があるが、これらの単独の値よりもむしろ磁束密度（Ｂ）と流動速度（ｖ）との積（Ｂ・ｖ）に影響を受ける。即ち、本発明の流体活性化吐出器においては、磁束密度（Ｂ）と流動速度（ｖ）との積（Ｂ・ｖ）が大きくなるように構成することにより、流体の活性化の効果を増大させることができる。本発明の流体活性化吐出器においては、磁束密度（Ｂ）と流動速度（ｖ）との積（Ｂ・ｖ）が０．０４〜０．５（Ｔ・ｍ／秒）の範囲を満たすように構成することが好ましい。
【００５５】（２）流体活性化装置
本発明の流体活性化装置は、流体が貯留された容器を固定するための固定部材と、その磁力線が容器を横切るように（或いは、横切ることが可能なように）配設された磁石と、固定部材と磁石の一方又は双方を回転させるための回転装置とを備えるものである。
【００５６】本発明の流体活性化装置を用いて、固定部材と磁石の一方又は双方を回転させると、その回転の過程において、容器に貯留された未活性化水が必ず磁石によって形成される磁力線を横切るように通過することになるので、この際に、未活性化水に対して磁力が作用し、未活性化水を活性化させることが可能となる。この流体活性化装置によれば、未活性化水と各種化学製品とが混合された化学製品組成物（即ち、一般に市販されている化粧品、洗剤、医薬品等）が貯留された容器を固定部材に固定し、固定部材と磁石の一方又は双方を回転させるのみで、未活性化水が活性化水に変換されるので、極めて容易に活性化水組成物を得ることができる。
【００５７】また、既述の流体活性化吐出器と同様に、活性化水組成物を使用する際に、その都度、未活性化水に対して磁力を作用させて、活性化水に変換する方式を採用するため、予め、活性化水と各種化学製品とを混合しておく必要もない。従って、その活性化水組成物の使用時に、活性化水の作用が失われてしまうといった事態を有効に防止することが可能となる。
【００５８】また、容器内に貯留する流体の量は自由に調整することができるので、必要量（使用量）の流体のみを活性化させることも可能である。従って、活性化の後に、活性化水と混合された各種化学製品が劣化して、その品質が低下してしまうといった事態についても有効に防止することが可能となる。
【００５９】以下、本発明の流体活性化装置の実施の形態を図面を用いて、具体的に例示しながら説明するが、本発明の流体活性化装置は図示の実施形態に限定されるものではない。
【００６０】▲１▼第１の実施形態
本発明の流体活性化装置の第１の実施形態としては、例えば、図５（ａ）及び図５（ｂ）に示す流体活性化装置６１のように、流体が貯留された容器６２を固定するための固定部材６３と、その磁力線が固定部材６３に固定される容器６２を横切るように配設された磁石６７ａ，６７ｂと、固定部材６３に固定される容器６２の中心部Ｘを通過するような回転軸Ａを有する、固定部材６３及び／又は磁石６７ａ，６７ｂを回転させるための回転装置６４とを備えたものである。
【００６１】図５（ａ）及び図５（ｂ）に示す流体活性化装置６１は、固定部材６３として、容器６２の外径と略一致するような内径を有する中空円筒状の凹部を有する円盤状のテーブルを有しており、その凹部に容器６２を嵌合させることにより容器６２を固定し得るように構成されている。そして、固定部材６３の外周側には、中空円筒状の鞘体６５の一部に、その磁力線が固定部材６３に固定される容器６２を横切るように磁石６７ａ，６７ｂが配設（埋設）されている。
【００６２】また、流体活性化装置６１は、回転装置６４として、固定部材６３の外周側に、固定部材６３とは別個独立の部材として構成された、ドーナツ状のターンテーブル６８を有している。ターンテーブル６８は、その上面に配置される鞘体６５と一体的に形成されており、駆動手段となる電動モータに接続されている。
【００６３】このような構造の流体活性化装置６１では、回転装置６４（ターンテーブル６８）が、これと一体的に形成された鞘体６５の一部に配設された磁石６７ａ，６７ｂを回転させることによって、固定部材６３に固定される容器６２と磁石６７ａ，６７ｂによって形成される磁力線とを回転軸Ａ中心に相対的に回転させる。こうすることにより、容器６２に貯留される流体が磁石６７ａ，６７ｂによって形成される磁力線を横切るように通過する際に、流体に対して磁力が作用し、流体が活性化される。
【００６４】なお、図５（ａ）及び図５（ｂ）に示す流体活性化装置６１は、回転装置６４によって磁石６７ａ，６７ｂのみが回転し、容器６２を固定する固定部材６３は回転しないタイプのものであるが、固定部材に固定される容器と磁石によって形成される磁力線とが相対的に回転する限りにおいて、本発明の流体活性化装置は、このようなものには限定されるものではない。即ち、回転装置によって容器を固定する固定部材のみが回転し、磁石は回転しないタイプのもの、或いは、固定部材と磁石の双方が回転装置によって回転するタイプのものについても本発明の範囲に含まれる。
【００６５】▲２▼第２の実施形態
本発明の流体活性化装置の第２の実施形態としては、例えば、図６に示す流体活性化装置６１のように、流体が貯留された容器６５を固定するための固定部材６３と、その磁力線が固定部材６３に固定される容器６２を横切ることが可能なように配設された磁石６７ａ，６７ｂと、磁石６７ａ，６７ｂによって形成される磁力線の端点を含む直線Ｌ上のいずれかの点を通過するような回転軸を有する、固定部材６３及び／又は磁石６７ａ，６７ｂを回転させるための回転装置６４とを備えたものである。
【００６６】図６に示す流体活性化装置６１は、固定部材６３としての機能と、回転装置６４としての機能とを兼ね備えた、ドーナツ状のターンテーブル６８を有している。このターンテーブル６８は、容器６２の外径と略一致するような内径を有する中空円筒状の凹部を有しており、その凹部に容器６２を嵌合させることにより容器６２を固定し得るように構成されるとともに、駆動手段となる電動モータに接続されている。
【００６７】ターンテーブル６８の中心側及び外周側には、その磁力線が固定部材６３に固定される容器６２を横切ることが可能なように磁石６７ａ，６７ｂが配設されている。磁石６７ｂについては、ターンテーブル６８とは別個独立の部材として構成された、円形の固定テーブル６９の上面に配置・固定されている。なお、回転装置６４となるターンテーブル６８は、磁石６７ａ，６７ｂによって形成される磁力線の端点を含む直線Ｌ上の点Ｙを通過するような回転軸を有している。
【００６８】図６に示す構造の流体活性化装置６１では、回転装置６４（ターンテーブル６８）が、固定部材６３（この例ではターンテーブル６８自体）を回転させることによって、固定部材６３に固定される容器６２と磁石６７ａ，６７ｂによって形成される磁力線とを回転軸中心に相対的に回転させる。こうすることにより、容器６２に貯留される流体が磁石６７ａ，６７ｂによって形成される磁力線を横切るように通過する際に、流体に対して磁力が作用し、流体が活性化される。
【００６９】なお、図６に示す流体活性化装置６１は、回転装置６４によって容器６２を固定する固定部材６３のみが回転し、磁石６７ａ，６７ｂは回転しないタイプのものであるが、固定部材に固定される容器と磁石によって形成される磁力線とが相対的に回転する限りにおいて、本発明の流体活性化装置は、このようなものには限定されるものではない。即ち、回転装置によって容器を固定する固定部材のみが回転し、磁石は回転しないタイプのもの、或いは、固定部材と磁石の双方が回転装置によって回転するタイプのものについても本発明の範囲に含まれる。
【００７０】（３）本発明の流体活性化吐出器、及び流体活性化装置の用途
本発明の流体活性化吐出器、及び流体活性化装置により得られる活性化流体は、複数の流体分子の集合体（クラスター）が細分化されていることに起因して、人体細胞への浸透力が高いという特徴がある。従って、本発明の流体活性化吐出器、及び流体活性化装置を化粧品、ヘアケア製品、シェービングフォーム、消炎剤等の活性化に用いれば、これらの製品が肌、毛髪、髭等に浸透し易くなり、これらの製品の有する効果をより高いレベルで発揮させることが可能となる。
【００７１】また、本発明の流体活性化吐出器、及び流体活性化装置により得られる活性化流体は、各種物質との濡れ性が良好であるという特徴もある。従って、本発明の流体活性化吐出器、及び流体活性化装置を風呂用洗剤、ガラスクリーナー等の活性化に用いれば、これらの製品が浴槽やガラスの表面に馴染み易くなり、その洗浄効果をより高いレベルで発揮させることが可能となる。
【００７２】
【実施例】以下、本発明を実施例により具体的に説明するが、本発明はこれら実施例によって何ら限定されるものではない。
【００７３】
（実施例１、比較例１）
実施例１の流体吐出器として、図２に示す構造の流体活性化吐出器２１を用意した。この流体活性化吐出器２１は、市販のシャンプー用ポンプ式ディスペンサボトルに流体２８を活性化させるための磁石２７ａ，２７ｂを配設したものとした。その貯留容器２２は、最大内径が約８５ｍｍ、高さが約２００ｍｍ、内容積が約１リットルのものであった。また、ノズル２３の内径は３ｍｍであった。
【００７４】この流体活性化吐出器２１には、ノズル２３に、その磁力線が流体２８の流路（或いは、流体２８の流動方向）と直交するように、磁石２７ａ，２７ｂを配設した。また、磁石２７ａ，２７ｂは、流体２８の流路を挟んでＮ極とＳ極とが対向するように配置した。磁石２７ａ，２７ｂによって形成される磁界の磁束密度をガウスメータにより測定した結果、０．０７〜０．２０（Ｔ：テスラ）の範囲を満たしていた。なお、磁石２７ａ，２７ｂとしては、ネオジム−鉄−硼素磁石を用いた。
【００７５】また、流体活性化吐出器２１のノズル２３における流動速度を実測した結果、０．７７〜１．６７（ｍ／秒）の範囲を満たしていた。後述するように、吐出させる流体（未活性化流体）としては、市販の化粧水（２０℃）を用いたが、化粧水の２０℃における動粘度（ν）は、水の２０℃における動粘度（ν：１．００４×１０−６（ｍ２／秒））とみなすことができる。従って、流体活性化吐出器２１のノズル２３における流動速度は、既述の式（３）の範囲を満たすものであった。
【００７６】更に、流体活性化吐出器２１における磁束密度（Ｂ）と流動速度（ｖ）との積（Ｂ・ｖ）は、０．０５〜０．３３（Ｔ・ｍ／秒）であり、好適とされる０．０４〜０．５（Ｔ・ｍ／秒）の範囲を満たすものであった。
【００７７】一方、比較例１の流体吐出器として、磁石２７ａ，２７ｂが配設されていないことを除いては、図２に示す流体活性化吐出器２１と同様の構造を有する流体吐出器（即ち、市販のシャンプー用ポンプ式ディスペンサボトル）を用意した。
【００７８】流体吐出器から吐出させる流体（未活性化流体）としては、市販の化粧水を用意した。この化粧水を、実施例１及び比較例１の流体吐出器に各々注入した。そして、１０代から４０代の女性被験者２０人に、実施例１及び比較例１の流体吐出器から吐出させた化粧水を実際に肌（頬）に塗布してもらい、その感触（しっとり感）について比較評価した。
【００７９】その結果、実施例１の流体吐出器から吐出させた化粧水の方がしっとりすると答えた人が１１人、どちらも変わらないと答えた人が６人、比較例１の流体吐出器から吐出させた化粧水の方がしっとりすると答えた人が３人であった。
【００８０】この結果から、実施例１の流体吐出器から吐出させた化粧水は、その溶媒である水が活性化され、複数の水分子の集合体（クラスター）が細分化されていることに起因して、人体細胞への浸透力が高くなっており、化粧水が有している、肌をしっとりさせる効果がより高められたものと考えられた。
【００８１】
【発明の効果】以上説明したように、本発明の流体活性化吐出器、及び流体活性化装置によれば、各種化学製品に活性化水の種々の有用な作用が確実に付与された活性化水組成物を得られるとともに、その活性化水組成物の使用時に、活性化水の作用が失われたり、活性化水と混合された各種化学製品が劣化して、その品質が低下してしまうといった事態を有効に防止することが可能となる。
【図面の簡単な説明】
【図１】本発明の流体活性化吐出器の一の実施形態を示す概略断面図である。
【図２】本発明の流体活性化吐出器の別の実施形態を示す概略断面図である。
【図３】図３（ａ）〜図３（ｃ）は、本発明の流体活性化吐出器に用いられるキャップ構造を示す概略側面図である。
【図４】図４（ａ）及び図４（ｂ）は、本発明の流体活性化吐出器の更に別の実施形態を示す概略断面図である。
【図５】図５（ａ）は、本発明の流体活性化装置の一の実施形態を示す概略斜視図であり、図５（ｂ）は、その概略上面図である。
【図６】本発明の流体活性化装置の別の実施形態を示す概略上面図である。
【符号の説明】
１，２１，４１…流体活性化吐出器、２，２２…貯留容器、２ａ，２２ａ，４２ａ…内部空間、３，２３，４３…ノズル、３ａ，２３ａ，４３ａ…吐出孔、４…噴射弁、５，６，２５，２６，２９，４５…中空部材、７ａ，７ｂ，２７ａ，２７ｂ，４７ａ，４７ｂ，６７ａ，６７ｂ…磁石、８，２８…流体、９…加圧ガス、１０，３０…供給チューブ、１１，３１…ステム、２４…ポンプ体、２４ａ…ピストン、２４ｂ…バネ、３２…押し下げヘッド、３３…キャップ、３４，３５，３６…キャップ構造、３７…トリガー、４２…貯留部、４３…ノズル部、４４…ピストン、５０…アタッチメント、６１…流体活性化装置、６２…容器、６３…固定部材、６４…回転装置、６５…鞘体、６８…ターンテーブル、６９…固定テーブル、Ｘ…中心部、Ａ…回転軸、Ｌ…直線、Ｙ…点。
【図１】
2004351334.tif 000006
【図２】
2004351334.tif 000007
【図３】
2004351334.tif 000008
【図４】
2004351334.tif 000009
【図５】
2004351334.tif 000010
【図６】
2004351334.tif 000011